Podtech/llm-jp-corpus-v4-ja_patent huggingface dataset:
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
複数のデータラインと、該データラインと交差する複数のゲートラインと、隣接する前記データラインと隣接する前記ゲートラインによって定義される複数の画素領域に形成される画素電極と、前記画素領域に形成され、前記画素電極と絶縁される共通電極と、前記ゲートラインと平行に形成される複数の第１センシングラインと、前記データラインと平行に形成される複数の第２センシングラインとを具備したアレイ基板と、
前記アレイ基板と結合して液晶物質を収容し、ベース基板から突出して形成される複数の連結部材を具備し、少なくとも１つの連結部材が外部圧力によって前記第１センシングラインと第２センシングラインに電気的に連結される対向基板とを有することを特徴とする液晶表示パネル。
【請求項２】
前記第１センシングラインは、実質的にゲートラインと同一の層に形成され、前記第２センシングラインは、実質的にデータラインと同一の層（ｌａｙｅｒ）に形成されることを特徴とする請求項１に記載の液晶表示パネル。
【請求項３】
前記アレイ基板と対向基板との間に間隔を維持する間隔維持部材を更に有することを特徴とする請求項１に記載の液晶表示パネル。
【請求項４】
前記アレイ基板は、前記第１センシングラインの上部に形成され、第１センシングラインと電気的に連結される複数の第１センシング電極と、
前記第２センシングラインの上部に形成され、第２センシングラインと電気的に連結される複数の第２センシング電極とを更に含むことを特徴とする請求項１に記載の液晶表示パネル。
【請求項５】
前記第１及び第２センシング電極は、実質的に前記画素電極と同一の層に形成されることを特徴とする請求項４に記載の液晶表示パネル。
【請求項６】
前記第１及び第２センシング電極は、実質的に前記共通電極と同一の層に形成されることを特徴とする請求項４に記載の液晶表示パネル。
【請求項７】
前記アレイ基板は、前記第１センシングラインの上部に形成され、第１センシングラインと電気的に連結される複数の第１センシング電極と、
前記第２センシングラインの上部に形成され、第２センシングラインと電気的に連結される複数の第２センシング電極と、
前記第１及び第２センシング電極と離隔して前記連結部材の下方に連結部材と重なるように形成される第３センシング電極とを更に含むことを特徴とする請求項１に記載の液晶表示パネル。
【請求項８】
前記アレイ基板は、前記共通電極に所定の電圧を印加する共通電圧ラインを更に含み、前記第３センシング電極は、前記共通電圧ラインと電気的に連結されることを特徴とする請求項７に記載の液晶表示パネル。
【請求項９】
複数のデータラインと、該データラインと交差する複数のゲートラインと、隣接する前記データラインと隣接する前記ゲートラインによって定義される複数の画素領域に形成される画素電極と、前記画素領域に形成され、前記画素電極と絶縁される共通電極と、前記ゲートラインと平行に形成される複数の第１センシングラインと、前記データラインと平行に形成される複数の第２センシングラインとを具備したアレイ基板と、該アレイ基板と結合して液晶物質を収容し、ベース基板から突出して形成される複数の連結部材を具備し、少なくとも１つの連結部材が外部圧力によって前記第１センシングラインと第２センシングラインに電気的に連結される対向基板とを有する液晶表示パネルと、
前記連結部材と電気的に連結された第１及び第２センシングラインを検出して検出信号を出力するタッチ位置検出部と、
前記検出信号に基づいて前記外部圧力が加えられた位置座標を決定する位置決定部とを有することを特徴とする液晶表示装置。
【請求項１０】
画素電極と、共通電極と、第１センシングラインに電気的に連結された第１センシング電極と、第２センシングラインに電気的に連結された第２センシング電極とを有するアレイ基板を提供する段階と、
導電性を有し突起形状を有する連結部材を含む対向基板を提供する段階と、
作動時に前記アレイ基板と水平に配列される液晶分子を有する液晶層を前記アレイ基板と前記対向基板との間に介在させる段階と、
前記液晶分子の配列が実質的に変わらないように、前記対向基板に外部から圧力を加えることで、前記第１及び第２センシング電極を通じて前記連結部材と前記第１及び第２センシングラインを電気的に連結させる段階とを有することを特徴とするタッチスクリーン機能を有する液晶表示装置の表示品質劣化防止方法。
【手続補正２】
【補正対象書類名】明細書
【補正対象項目名】０００７
【補正方法】変更
【補正の内容】
【０００７】
前記第１センシングラインは、実質的にゲートラインと同一の層に形成され、前記第２センシングラインは、実質的にデータラインと同一の層（ｌａｙｅｒ）に形成されることが好ましい。
前記アレイ基板と対向基板との間に間隔を維持する間隔維持部材を更に有することが好ましい。
【手続補正３】
【補正対象書類名】明細書
【補正対象項目名】０００８
【補正方法】変更
【補正の内容】
【０００８】
前記アレイ基板は、前記第１センシングラインの上部に形成され、第１センシングラインと電気的に連結される複数の第１センシング電極と、前記第２センシングラインの上部に形成され、第２センシングラインと電気的に連結される複数の第２センシング電極とを更に含むことが好ましい。
前記第１及び第２センシング電極は、実質的に前記画素電極と同一の層に形成されることが好ましい。
前記第１及び第２センシング電極は、実質的に前記共通電極と同一の層に形成されることが好ましい。
【手続補正４】
【補正対象書類名】明細書
【補正対象項目名】０００９
【補正方法】変更
【補正の内容】
【０００９】
前記アレイ基板は、前記第１センシングラインの上部に形成され、第１センシングラインと電気的に連結される複数の第１センシング電極と、前記第２センシングラインの上部に形成され、第２センシングラインと電気的に連結される複数の第２センシング電極と、前記第１及び第２センシング電極と離隔して前記連結部材の下方に連結部材と重なるように形成される第３センシング電極とを更に含むことが好ましい。
前記アレイ基板は、前記共通電極に所定の電圧を印加する共通電圧ラインを更に含み、前記第３センシング電極は、前記共通電圧ラインと電気的に連結されることが好ましい。
【手続補正５】
【補正対象書類名】明細書
【補正対象項目名】００１０
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
プラズマ・ディスプレイ・パネルを駆動するための方法であって、
電力管理手段の前段において調節済のビデオ・データを得るために、輝度／コントラスト制御手段により、ビデオ入力データのオフセットまたは利得をそれぞれ調節するステップと、
前記電力管理手段により、前記プラズマ・ディスプレイ・パネルに与えられる幾つかの数のサステイン・パルスを提供するステップと、を含み、
前記調節済のビデオ・データを補償手段に供給して前記調節済のビデオ・データのレベルを変更し、
前記調節済のビデオ・データを、さらに、減衰ユニットに供給して前記輝度／コントラスト手段がチューニングした所定の入力ビデオ・データの減衰を算出し、減衰情報を提供して制御信号を発生させることにより、
前記輝度／コントラスト手段による所定の入力ビデオ・データの前記チューニングに従った前記サステイン・パルスの数を減少させ、
前記減少させた数の前記サステイン・パルスに従って前記調節済のビデオ・データの前記レベルを増加させ、
電力消費が低減し、画質が向上するように前記プラズマ・ディスプレイ・パネルを駆動させる、前記方法。
【請求項２】
前記減衰情報は、前記ビデオ入力データの利得および／またはオフセットを調節する際に作成される、請求項１に記載の方法。
【請求項３】
前記減衰情報は、前記ビデオ入力データの利得および／またはオフセットを調節するステップの後に評価され、所定の最大の入力データがビデオ入力データとして使用される、請求項１に記載の方法。
【請求項４】
前記減衰情報は２つのビデオ・フレーム間のブランキング時間に評価される、請求項３に記載の方法。
【請求項５】
調節済のビデオ入力データの赤、緑、および青のコンポーネント各々のためにコンポーネント減衰情報が評価され、最低のレベルを有するコンポーネント減衰情報が前記減衰情報として使用される、請求項３または４に記載の方法。
【請求項６】
前記減衰情報が前記ビデオ入力データの各フレームのために供給され、かつ評価される、請求項１に記載の方法。
【請求項７】
プラズマ・ディスプレイ・パネルを駆動する装置であって、
ビデオ入力データを受信し、当該ビデオ入力データの利得および／またはオフセットを調節し、調節済のビデオ入力データを出力する輝度／コントラスト制御手段と、
減衰情報を供給する減衰データ手段と、
前記調節済のビデオ入力データの電力レベルを測定し、各第１の電力レベル情報を供給する電力測定手段と、
前記第１の電力レベル情報および前記減衰情報に基づいて第２の電力レベル情報を作成する電力レベル作成手段と、
前記減衰情報に基づいて前記輝度／コントラスト制御手段の前記調節済のビデオ入力データのレベルを変更し、各変更済のビデオ入力データを出力する補償手段と、
前記第２の電力レベル情報に基づいてサブフィールド毎のサステイン・パルスの数を調節し、前記調節された数のサステイン・パルスおよび前記変更済のビデオ入力データを用いて前記プラズマ・ディスプレイ・パネルを駆動する電力管理手段とを含む装置。
【請求項８】
前記減衰データ手段が所定の最大の入力データを前記輝度／コントラスト制御手段に入力するデータ発生器と、さらに、前記輝度／コントラスト制御手段において調節が実行された際に前記所定の最大の入力データになされた減衰を評価する減衰評価手段を含む、請求項７に記載の装置。
【請求項９】
前記データ発生器は、赤、緑、および青のビデオ・コンポーネント各々のための所定の最大の入力データを供給することが可能であり、前記減衰評価手段は、前記コンポーネントの各々のコンポーネント減衰情報を評価可能であり、最小のレベルを有する前記コンポーネント減衰情報が前記減衰情報として使用される、請求項８に記載の装置。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
第１ローラと、
前記第１ローラと噛み合っている第２ローラと、
前記第１ローラを基準に前記第２ローラの反対側で前記第１ローラと噛み合っている第３ローラと、
前記第１ローラに薬液を供給する薬液供給器と、
前記第３ローラが接触している基板が搭載される印刷台と
を含み、
前記薬液供給器は配向液またはスペーサインキのいずれか一つを選択的に供給することを特徴とする液晶表示装置の製造装置。
【請求項２】
前記第３ローラが回転して移動して前記薬液を前記基板上に移すことを特徴とする請求項１に記載の液晶表示装置の製造装置。
【請求項３】
前記第１ローラは前記配向液が供給される薬液供給用ローラであり、
前記第２ローラは、前記薬液供給用ローラに供給された薬液を均等に分布させる平坦化ローラであることを特徴とする請求項２に記載の液晶表示装置の製造装置。
【請求項４】
前記第３ローラは、前記薬液供給用ローラに供給された薬液を受けて前記基板上に印刷する印刷ローラであることを特徴とする請求項３に記載の液晶表示装置の製造装置。
【請求項５】
前記第１及び第３ローラは、互いに反対方向に回転することを特徴とする請求項４に記載の液晶表示装置の製造装置。
【請求項６】
前記印刷ローラの外周面には印刷パターンを有する印刷板が付着していることを特徴とする請求項５に記載の液晶表示装置の製造装置。
【請求項７】
前記第２ローラは、前記第１ローラの外周面と接触して回転すると共に、その軸方向に沿って往復移動することを特徴とする請求項３に記載の液晶表示装置の製造装置。
【請求項８】
前記第１ローラは、表面に複数の溝が形成されて、前記スペーサインキが供給されるスペーサ供給用ローラであることを特徴とする請求項２に記載の液晶表示装置の製造装置。
【請求項９】
前記第２ローラは、前記スペーサ供給用ローラの溝にスペーサインキを均一に注入する加圧ローラであることを特徴とする請求項８に記載の液晶表示装置の製造装置。
【請求項１０】
前記スペーサ供給用ローラの表面と接触するブレードを用いて前記溝にスペーサインキを注入することを特徴とする請求項９に記載の液晶表示装置の製造装置。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
基板上に蒸着した半導体層を含む複数の駆動用薄膜トランジスタと、
前記複数の駆動用薄膜トランジスタ上にそれぞれ実装され、異なる波長の光を発生する複数の発光ダイオードと、
前記複数の発光ダイオードのそれぞれと前記基板との間に形成され、前記複数の発光ダイオードのそれぞれの発光強度を感知する複数の薄膜センサと、
前記基板上に蒸着した半導体層を含む複数の薄膜トランジスタで構成され、前記複数の薄膜センサに接続されて前記駆動用薄膜トランジスタを制御する輝度調整回路と、を備えることを特徴とする発光ダイオード基板。
【請求項２】
前記複数の駆動用薄膜トランジスタ及び前記輝度調整回路の薄膜トランジスタのそれぞれは、
半導体層と、
前記半導体層と絶縁膜を介して重なったゲート電極と、
前記半導体層の両端に接続されたソース電極及びドレイン電極と、を含むことを特徴とする請求項１に記載の発光ダイオード基板。
【請求項３】
前記複数の駆動用薄膜トランジスタのそれぞれにおいて、
前記ゲート電極が前記輝度調整回路に接続され、前記ソース電極が前記発光ダイオードの一電極に接続され、前記ドレイン電極が外部からの駆動電圧を供給する駆動電圧供給ラインに接続されることを特徴とする請求項２に記載の発光ダイオード基板。
【請求項４】
前記複数の薄膜センサのそれぞれは、
前記発光ダイオードの一電極を貫通する貫通孔の下に位置し、その薄膜センサの両端にｐ型及びｎ型不純物がそれぞれ注入されて形成された陽極と陰極とを有するフォトダイオード状に形成されることを特徴とする請求項３に記載の発光ダイオード基板。
【請求項５】
前記複数の薄膜センサのそれぞれは、
前記陽極又は前記陰極のいずれか一電極がフローティングされ、他の電極が電流制限用抵抗を介して前記各発光ダイオードの他の電極が接続されたグランド電極に接続されることを特徴とする請求項４に記載の発光ダイオード基板。
【請求項６】
前記発光ダイオードの他の電極と前記グランド電極とは、ボンディングワイヤを介して接続されることを特徴とする請求項５に記載の発光ダイオード基板。
【請求項７】
前記複数の駆動用薄膜トランジスタのそれぞれにおいて、前記半導体層、前記ゲート電極、前記ソース電極、前記ドレイン電極は、前記薄膜センサの周辺部を囲む多角形又は円形の帯状に形成されることを特徴とする請求項６に記載の発光ダイオード基板。
【請求項８】
前記複数の発光ダイオードは赤、緑、青色光をそれぞれ発生する第１〜第３発光ダイオードで構成され、前記複数の駆動用薄膜トランジスタは前記第１〜第３発光ダイオードのそれぞれを駆動する第１〜第３駆動用薄膜トランジスタで構成され、前記複数の薄膜センサは前記第１〜第３発光ダイオードのそれぞれの発光強度を感知する第１〜第３薄膜センサで構成されることを特徴とする請求項７に記載の発光ダイオード基板。
【請求項９】
前記輝度調整回路は、
外部からの輝度調整信号によって前記第３駆動用薄膜トランジスタを制御する第１増幅器と、
前記第３薄膜センサからの青色発光感知信号と前記第２薄膜センサからの緑色発光感知信号とを比較して前記第２駆動用薄膜トランジスタを制御する第１比較器と、
前記第３薄膜センサからの青色発光感知信号と前記第１薄膜センサからの赤色発光感知信号とを比較して前記第１駆動用薄膜トランジスタを制御する第２比較器と、を含むことを特徴とする請求項８に記載の発光ダイオード基板。
【請求項１０】
前記輝度調整回路は、
前記第１〜第３薄膜センサからの各発光強度感知信号を増幅して出力する第２〜第４増幅器をさらに含み、これらのうち少なくとも１つの増幅器は外部からの相対輝度調整信号によって制御されることを特徴とする請求項９に記載の発光ダイオード基板。
【手続補正２】
【補正対象書類名】明細書
【補正対象項目名】発明の名称
【補正方法】変更
【補正の内容】
【発明の名称】発光ダイオード基板
【手続補正３】
【補正対象書類名】明細書
【補正対象項目名】０００１
【補正方法】変更
【補正の内容】
【０００１】
本発明は発光ダイオード基板に係り、特に発光ダイオードを駆動する駆動回路と共に薄膜光センサを基板に集積してコストを節減し、色均一性を向上させることのできる発光ダイオード基板に関する。
【手続補正４】
【補正対象書類名】明細書
【補正対象項目名】０００５
【補正方法】変更
【補正の内容】
【０００５】
そこで、本発明は上記従来の問題点に鑑みてなされたものであって、本発明の目的は、ＬＥＤ駆動部と薄膜光センサを基板に集積してコストを節減し、色均一性を向上させることのできる発光ダイオード基板を提供することにある。
【手続補正５】
【補正対象書類名】明細書
【補正対象項目名】０００８
【補正方法】変更
【補正の内容】
【０００８】
前記複数の薄膜センサのそれぞれは、
前記発光ダイオードの一電極を貫通する貫通孔の下に位置し、その薄膜センサの両端にｐ型及びｎ型不純物がそれぞれ注入されて形成された陽極と陰極とを有するフォトダイオード状に形成される。
また、前記複数の薄膜センサのそれぞれの陽極又は陰極のいずれか一電極はフローティングされ、他の電極は電流制限用抵抗を介して前記発光ダイオードの他の電極が接続されたグランド電極に接続される。
前記発光ダイオードの他の電極と前記グランド電極とはボンディングワイヤを介して接続される。
【手続補正６】
【補正対象書類名】明細書
【補正対象項目名】０００９
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
表示板と、
前記表示板に形成される複数の画素と、
前記表示板に形成され、前記表示板に対する接触に基づいて感知信号を生成する複数の感知部と、
前記感知信号を受け、所定の信号処理をして感知データを生成する感知信号処理部と、
前記感知信号処理部からの感知データに基づいて前記感知部の接触の有無及び前記感知信号が適正範囲に存在しているか否かを判断する第１制御部、及び前記感知データに基づいて前記感知部の接触の有無及び接触位置を判定し、前記感知信号が適正範囲内に存在するように制御する第２制御部を含む接触判断部と、を有することを特徴とする表示装置。
【請求項２】
前記第２制御部は、ＡＲＭ（ａｄｖａｎｃｅｄ  ＲＩＳＣ  ｍａｃｈｉｎｅ）プロセッサーを用いて構成されることを特徴とする請求項１に記載の表示装置。
【請求項３】
前記第１制御部は、ハードワイヤーロジックで構成されることを特徴とする請求項１に記載の表示装置。
【請求項４】
前記第１制御部は、
前記感知データを縦及び横感知信号に分類するデータ分類部と、
前記分類される縦及び横感知データが記憶されるメモリ部と、
前記メモリ部からの縦感知信号に基づいて前記感知部の接触の有無を判断する接触状態チェック部と、
前記メモリ部からの前記感知信号に基づいて前記感知信号が適正範囲に属しているかを判断する安定状態判断部と、を有することを特徴とする請求項３に記載の表示装置。
【請求項５】
前記接触判断部は、複数のフラッグの値が記憶されるレジスター部をさらに有することを特徴とする請求項４に記載の表示装置。
【請求項６】
前記複数のフラッグは、
前記メモリ部に前記横及び縦感知信号が全て記憶されていることを示すメモリ状態フラッグと、
前記第２制御部の動作の有無を制御するウェークアップフラッグと、
前記感知信号が適正範囲に属しているか否かを示す非安定化状態フラッグと、
前記感知部に接触が発生したか否かを示す接触状態フラッグと、を含むことを特徴とする請求項５に記載の表示装置。
【請求項７】
前記ウェークアップフラッグは、前記接触状態のチェックにより前記感知部に接触が発生した状態であるか、または前記安定状態判断部により前記感知信号が適正範囲内に存在しない場合、活性状態の値を有することを特徴とする請求項６に記載の表示装置。
【請求項８】
前記第２制御部は、前記ウェークアップフラッグが活性状態である場合、電源供給が行われて前記感知データに基づいて前記感知部の接触の有無及び接触位置を判定し、前記感知信号が適正範囲に属するように制御することを特徴とする請求項７に記載の表示装置。
【請求項９】
前記非安定化状態フラッグは、前記安定状態判断部により前記感知信号が適正範囲に属しない場合、活性状態の値を有することを特徴とする請求項６に記載の表示装置。
【請求項１０】
前記非安定化状態フラッグは、前記接触判断部にイネーブル信号が印加されて電源供給が行われた後、活性状態の値を有することを特徴とする請求項９に記載の表示装置。
【請求項１１】
前記接触状態フラッグは、前記接触状態チェックにより前記感知部に接触が発生した状態と判断される場合、活性状態の値を有することを特徴とする請求項６に記載の表示装置。
【請求項１２】
前記メモリ状態フラッグは、前記データ分類部により前記横及び縦データが前記メモリ部に全て保存される場合、活性状態の値を有することを特徴とする請求項６に記載の表示装置。
【請求項１３】
前記接触判断部は、インターフェース部をさらに含むことを特徴とする請求項１に記載の表示装置。
【請求項１４】
前記インターフェース部は、ＳＰＩ（ｓｅｒｉａｌ  ｐｅｒｉｐｈｅｒａｌ  ｉｎｔｅｒｆａｃｅ）であることを特徴とする請求項１３に記載の表示装置。
【請求項１５】
前記複数の感知部の各々は、外部からの圧力によって静電容量が変化する可変キャパシタと、所定の大きさの静電容量を有する基準キャパシタと、を有することを特徴とする請求項１に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、接触判断部を有する表示装置に関する。
【手続補正４】
【補正対象書類名】明細書
【補正対象項目名】０００７
【補正方法】変更
【補正の内容】
【０００７】
そこで、本発明は上記従来の問題点に鑑みてなされたものであって、本発明の目的は、感知素子からの信号を処理する感知部の動作に伴う電力消耗を減らすことができる表示装置を提供することにある。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明の表示装置によれば、感知部の接触の有無及び接触位置を判定する際、非接触時には、出力電圧の安定化動作の際にのみ多くの電力消費が発生するＡＲＭのようなプロセッサーである第２制御部を作動させ、それ以外の時は、電源を遮断して節電状態を維持するようにしている。これにより、第２制御部で発生する電力消耗が減少し、その結果、感知部を内蔵する表示装置の電力消耗も減少する。
【手続補正書】
【提出日】平成22年1月13日(2010.1.13)
【手続補正１】
【補正対象書類名】特許請求の範囲
【補正対象項目名】請求項１
【補正方法】変更
【補正の内容】
【請求項１】
文書を印刷する方法であって、
前記文書の情報を符号化した第１のバーコードを生成することと、
第１のバーコードの空間解像度よりも低い空間解像度を有し、前記第１のバーコードの空間解像度を特定する解像度データを符号化した第２のバーコードを生成することと、
前記文書並びに前記第１及び第２のバーコードを記録媒体に印刷すること、を有する方法。
【手続補正２】
【補正対象書類名】特許請求の範囲
【補正対象項目名】請求項７
【補正方法】変更
【補正の内容】
【請求項７】
文書の情報を符号化した第１のバーコードと、第１のバーコードの空間解像度よりも低い空間解像度を有し、前記第１のバーコードの空間解像度を特定する解像度データを符号化した第２のバーコードと、を含む印刷文書を処理する方法であって、
前記印刷文書の少なくとも一部を第１のスキャン解像度でスキャンしてスキャン文書を生成することと、
前記スキャン文書中の前記第２のバーコードを検出し、そこに符号化された前記解像度データを抽出することと、
前記解像度データにより特定される前記第１のバーコードの空間解像度と前記第１のスキャン解像度とを比較して、前記第１のスキャン解像度が適切であるか否かを判定することと、
前記比較の結果に基づいて、前記印刷文書を第２のスキャン解像度で再スキャンして再スキャン文書を生成することと、
前記スキャン文書又は前記再スキャン文書における前記第１のバーコード検出し、そこに符号化された情報を抽出すること、を有する方法。
【手続補正３】
【補正対象書類名】特許請求の範囲
【補正対象項目名】請求項１８
【補正方法】変更
【補正の内容】
【請求項１８】
データ処理システムを制御するためのコンピュータが読み取り可能なコードが包含されたコンピュータが利用可能な媒体を有するコンピュータプログラム製品であって、前記コンピュータが読み取り可能なプログラムコードは、
文書の情報を符号化した第１のバーコードを生成することと、
第１のバーコードの空間解像度よりも低い空間解像度を有し、前記第１のバーコードの空間解像度を特定する解像度データを符号化した第２のバーコードを生成することと、
前記第１の及び第２のバーコードを前記文書に埋め込むことと、
前記文書を印刷に供すること、を有する文書を印刷する処理を前記データ処理システムに実行させるように設定されるコンピュータプログラム製品。
【手続補正４】
【補正対象書類名】特許請求の範囲
【補正対象項目名】請求項１９
【補正方法】変更
【補正の内容】
【請求項１９】
データ処理システムを制御するためのコンピュータが読み取り可能なコードが包含された、コンピュータが利用可能な媒体を有するコンピュータプログラム製品であって、前記コンピュータが読み取り可能なプログラムコードは、前記データ処理システムにスキャンした文書を処理するための処理を実行させるように設定され、前記スキャンした文書は前記文書についての情報を符号化した第１のバーコードと、第１のバーコードの空間解像度よりも低い空間解像度を有し、前記第１のバーコードの空間解像度を特定する解像度データを符号化した第２のバーコードと、を含み、前記処理は、
前記スキャンした文書の前記第２のバーコードを検出し、そこに符号化された前記解像度データを抽出することと、
前記解像度データにより特定される前記第１のバーコードの空間解像度と前記スキャンの解像度とを比較して、前記スキャンの解像度が適切であるか否かを判定することと、
前記スキャンした文書の第１のバーコードを検出し、そこに符号化された情報を抽出すること、を有するコンピュータプログラム製品。
【手続補正５】
【補正対象書類名】明細書
【補正対象項目名】０００５
【補正方法】変更
【補正の内容】
【０００５】
上記の及び／又はその他の目的を達成するために、本発明は、具現化し且つ広義に記述すると、文書を印刷する方法であって、文書の情報を符号化した第１のバーコードを生成することと、第１のバーコードの空間解像度よりも低い空間解像度を有し、前記第１のバーコードの空間解像度を特定する解像度データを符号化した第２のバーコードを生成することと、前記文書、前記第１のバーコード及び前記第２のバーコードを記録媒体に印刷すること、を有する方法を提供する。
【手続補正６】
【補正対象書類名】明細書
【補正対象項目名】０００６
【補正方法】変更
【補正の内容】
【０００６】
また、他の側面として、本発明は、文書の情報を符号化した第１のバーコードと、第１のバーコードの空間解像度よりも低い空間解像度を有し、前記第１のバーコードの空間解像度を特定する解像度データを符号化した第２のバーコードとを含む印刷文書を処理する方法であって、前記印刷文書の少なくとも一部を第１のスキャン解像度でスキャンしてスキャン文書を生成することと、前記印刷文書中の前記第２のバーコードを検出し、そこに符号化された前記解像度データを抽出することと、前記解像度データにより特定される前記第１のバーコードの空間解像度と前記第１のスキャン解像度とを比較して、前記第１のスキャン解像度が適切であったか否かを判定することと、前記比較の結果に基づいて、前記文書を第２のスキャン解像度で再スキャンして再スキャン文書を生成することと、前記スキャン文書又は前記再スキャン文書の前記第１のバーコード検出し、そこに符号化された情報を抽出すること、を有する方法を提供する。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
カスタム化したユーザ・インターフェース・パッケージを移動デバイスにネットワークを通じて提供する方法であって、
共通データ・ストアに複数のリソース・ファイルを格納し、各リソース・ファイルが、前記移動デバイス・ユーザ・インターフェースの態様を表すデータ・オブジェクトを備え、
複数のリソース・ファイルからリソース・プロファイルを選択し、前記リソース・プロファイルが、前記複数のリソース・ファイルのうち少なくとも１つに対応するユーザ・インターフェースの態様に関係するパラメータを指定し、
前記リソース、および該リソースに関係するデータ・オブジェクトの場所を記述する記述ファイルを生成し、
前記リソース・プロファイルに対応するフォーマットに、前記リソースを変換し、
前記移動デバイスへのダウンロードのために、ユーザ・インターフェース・コンテンツ・パッケージを生成し、前記ユーザ・インターフェース・コンテンツ・パッケージが、前記記述ファイルと前記変換したリソースとを含むこと、
を備えた、方法。
【請求項２】
請求項１記載の方法において、前記リソースは、画像、ビデオ・クリップ、およびサウンド・クリップのうち１つを備えた、方法。
【請求項３】
請求項２記載の方法において、前記リソース・プロファイルは、複数のユーザ・インターフェース項目の指定を備えており、項目の場所、項目のサイズ、項目のファイル・タイプ、および項目の識別子のうち少なくとも１つを指定する、方法。
【請求項４】
請求項３記載の方法において、前記複数のリソース・ファイルは、１つ以上のデータベースに配列されており、前記共通データ・ストアは、前記ネットワークに結合されたサーバ・コンピュータの永続的メモリ・ストアである、方法。
【請求項５】
請求項４記載の方法において、前記リソースは、前記複数のユーザ・インターフェース項目のうち１つのユーザ・インターフェース項目を収容する場所へのリンクを備えた、方法。
【請求項６】
請求項１記載の方法において、前記移動デバイスは、セルラ・フォーン、パーソナル・ディジタル・アシスタント・デバイス、ノートブック型コンピュータ、およびゲーム・コンソールのうち少なくとも１つを備えた、方法。
【請求項７】
請求項６記載の方法において、前記ユーザ・プロファイル情報は、前記移動デバイスの製造業者によって提供され、前記ユーザ・プロファイル情報は、移動デバイスの特定モデルに関係する、方法。
【請求項８】
カスタム化したユーザ・インターフェース・パッケージを移動デバイスにネットワークを通じて提供するシステムであって、
共通データ・ストアに複数のリソース・ファイルを格納する記憶手段であって、各リソース・ファイルが、前記移動デバイス・ユーザ・インターフェースの態様を表すデータ・オブジェクトを備えた、記憶手段と、
複数のリソース・ファイルからリソース・プロファイルを選択する手段であって、前記リソース・プロファイルが、前記複数のリソース・ファイルのうち少なくとも１つに対応するユーザ・インターフェースの態様に関係するパラメータを指定する、選択手段と、
前記リソース、および該リソースに関係するデータ・オブジェクトの場所を記述する記述ファイルを生成する手段と、
前記リソース・プロファイルに対応するフォーマットに、前記リソースを変換する手段と、
前記移動デバイスへのダウンロードのために、ユーザ・インターフェース・コンテンツ・パッケージを生成する手段であって、前記ユーザ・インターフェース・コンテンツ・パッケージが、前記記述ファイルと前記変換したリソースとを含む、手段と、
を備えた、システム。
【請求項９】
請求項８記載のシステムにおいて、前記リソースは、画像、ビデオ・クリップ、およびサウンド・クリップのうち１つを備えた、システム。
【請求項１０】
請求項９記載のシステムにおいて、前記リソース・プロファイルは、複数のユーザ・インターフェース項目の指定を備えており、項目の場所、項目のサイズ、項目のファイル・タイプ、および項目の識別子のうち少なくとも１つを指定する、システム。
【請求項１１】
請求項１０記載のシステムにおいて、前記複数のリソース・ファイルは、１つ以上のデータベースに配列されており、前記共通データ・ストアは、前記ネットワークに結合されたサーバ・コンピュータの永続的メモリ・ストアである、システム。
【請求項１２】
請求項１１記載のシステムにおいて、前記リソースは、前記複数のユーザ・インターフェース項目のうち１つのユーザ・インターフェース項目を収容する場所へのリンクを備えた、システム。
【請求項１３】
請求項８記載のシステムにおいて、前記移動デバイスは、セルラ・フォーン、パーソナル・ディジタル・アシスタント・デバイス、ノートブック型コンピュータ、およびゲーム・コンソールのうち少なくとも１つを備えた、システム。
【請求項１４】
請求項１３記載のシステムにおいて、前記ユーザ・プロファイル情報は、前記移動デバイスの製造業者によって提供され、前記ユーザ・プロファイル情報は、移動デバイスの特定モデルに関係する、システム。
【手続補正書】
【提出日】平成21年12月16日(2009.12.16)
【手続補正１】
【補正対象書類名】明細書
【補正対象項目名】００１０
【補正方法】変更
【補正の内容】
【００１０】
将来の損傷を推定するために、いくつかの基本的に異なる手法が採用されうる。１つは、第１原理からシステムの物理的特性および所定の負荷および速度条件に対する障害伝搬をモデル化することである。そのようなモデルは、材料特性、熱力学的振る舞いなどの詳細な知識を含む必要がある。代替として、経験的（または経験ベースとも呼ばれる）モデルが採用されてもよく、既知の条件およびコンポーネント損傷レベルにおける実験からのデータが障害伝搬速度のモデルの構築に使用される。そのようなモデルは、動作空間を十分に探求する適度に大規模な実験のセットに依存するところが大きい。
【特許文献１】米国特許第５２１０７０４号明細書
【特許文献２】国際公開第０３／０４２９２８号
【特許文献３】Goebel et al., "Towards an Integrated Reasoner for Bearings Prognostics", 2005, IEEE, pp. 1-11. cited by examiner .
【特許文献４】K. Goebel et al., "Towards an Integrated Reasoner for Bearings Prognostics," IEEE Aerospace Conference, Mar. 5-12, 2005, pp. 1-11. C. cited by other.
【特許文献５】Ten-Huei Guo et al., "Remaining Engine Life Estimation for a Sensor-Based Aircraft Engine," The International Conference on System, Man and Cybernetics, Oct. 2005, pp. 1-6. cited by other.
【特許文献６】GB Search Report, GB0625289
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
コンピュータにより実行されるプリンタ記述ファイル生成方法であって、
非ポストスクリプト印刷装置のユーザが指定した特徴と前記印刷装置のプリンタ記述（ＰＰＤ）ファイルとをネットワークを介して受け取る段階であって、前記ユーザが指定した特徴と前記ＰＰＤファイルはクライアントコンピュータから送られた段階と、
前記ユーザが指定した特徴に基づき、複数のファイル生成ツールの中から前記ユーザが指定した特徴に合致する１つのファイル生成ツールを選択する段階と、
前記ユーザが指定した特徴に基づき、複数のルックアップテーブルの中から前記ユーザが指定した特徴に合致する１つのルックアップテーブルを選択する段階と、
前記ＰＰＤファイルと前記１つのルックアップテーブルを前記１つのファイル生成ツールの入力として供給する段階と、
ネットワークを介して前記クライアントコンピュータに、前記ＰＰＤファイルと前記１つのルックアップテーブルに基づいて前記１つのファイル生成ツールが自動的に生成したカスタムプリンタ記述ファイルを送る段階と、を有し、
前記ＰＰＤファイル中の各ポストスクリプトコマンドに対して、前記カスタムプリンタ記述ファイルは、ポストスクリプトコマンドがポストスクリプトプリンタに実行させる動作を前記印刷装置に実行させる対応する１つ以上の非ポストスクリプトコマンドを有し、
前記１つのルックアップテーブルは、前記ＰＰＤファイルに示された前記印刷装置の機能とオプションの間のマッピングと、前記機能とオプションに対応する非ポストスクリプトコマンドとを有する、方法。
【請求項２】
コンピュータにより実行されるカスタムプリンタ記述ファイル生成方法であって、
ポストスクリプトプリンタ記述（ＰＰＤ）ファイルと変換データとに基づき、前記カスタムプリンタ記述ファイルを自動的に生成する段階を有し、
コンピュータは、前記カスタムプリンタ記述ファイルに基づき、第１の印刷データストリームを第２の印刷データストリームに自動的に変換でき、
前記第１の印刷データストリームはポストスクリプト印刷装置に動作を実行するよう命じる第１のコマンドを含み、
前記第２の印刷データストリームは非ポストスクリプト印刷装置に前記動作を実行するよう命じる第２の非ポストスクリプトコマンドを含み、
前記第２のコマンドは前記第１のコマンドに対応する、方法。
【請求項３】
前記非ポストスクリプトコマンドはプリンタコマンド言語（ＰＣＬ）コマンドである、請求項２に記載の方法。
【請求項４】
前記非ポストスクリプトコマンドはプリンタジョブ言語（ＰＪＬ）コマンドである、請求項２に記載の方法。
【請求項５】
前記第１のコマンドと前記第２のコマンドは印刷装置に指定した両面設定を用いて文書を印刷するように命令する、請求項２に記載の方法。
【請求項６】
前記第１のコマンドと前記第２のコマンドは印刷装置に指定した出力トレイに印刷した文書を出力するように命令する、請求項２に記載の方法。
【請求項７】
前記第１のコマンドの１つ以上は前記非ポストスクリプト印刷装置には理解できない、請求項２に記載の方法。
【請求項８】
前記カスタムプリンタ記述ファイルを自動的に生成する段階は、
前記ポストスクリプトプリンタ記述ファイルから機能を読み出す段階と、
前記ポストスクリプトプリンタ記述ファイルから前記機能に関連するオプションを読み出す段階と、
前記変換データ中の前記オプションにマッピングされた非ポストスクリプトコマンドを決定する段階と、
前記ポストスクリプトプリンタ記述ファイル中の前記オプションに関連するポストスクリプトコマンドを前記非ポストスクリプトコマンドで置き換える段階と、を有する、請求項２に記載の方法。
【請求項９】
前記カスタムプリンタ記述ファイルを自動的に生成する段階は、拡張されたＰＰＤファイルを生成する段階を有する、請求項２に記載の方法。
【請求項１０】
前記カスタムプリンタ記述ファイルを自動的に生成する段階は、Ｆｏｏｍａｔｉｃ拡張されたＰＰＤファイルを生成する段階を有する、請求項２に記載の方法。
【請求項１１】
ネットワークを介してクライアントから前記ポストスクリプトプリンタ記述ファイルを受け取る段階と、
ネットワークを介して前記クライアントに前記カスタムプリンタ記述ファイルを送る段階とを更に有する、請求項２に記載の方法。
【請求項１２】
前記非ポストスクリプトコマンドはジョブ定義フォーマット（ＪＤＦ）コマンドである、
請求項２に記載の方法。
【請求項１３】
前記非ポストスクリプトコマンドはポータブルジョブチケットフォーマット（ＰＪＴＦ）コマンドである、請求項２に記載の方法。
【請求項１４】
前記非ポストスクリプトコマンドはジョブ制御言語（ＪＣＬ）コマンドである、
請求項２に記載の方法。
【請求項１５】
前記第１のコマンドと前記第２のコマンドは印刷装置に指定した入力トレイからの媒体を用いて文書を印刷するように命令する、請求項２に記載の方法。
【請求項１６】
前記第１のコマンドと前記第２のコマンドは印刷装置に印刷した文書にステープル機能を使用するように命令する、請求項２に記載の方法。
【請求項１７】
前記第１のコマンドと前記第２のコマンドは印刷装置に印刷した文書にパンチ機能を使用するように命令する、請求項２に記載の方法。
【請求項１８】
前記第１のコマンドと前記第２のコマンドは印刷装置に指定したカラーモードで文書を印刷するように命令する、請求項２に記載の方法。
【請求項１９】
前記第１のコマンドと前記第２のコマンドは印刷装置に指定した解像度で文書を印刷するように命令する、請求項２に記載の方法。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
クライアント装置からの要求を処理する装置であって、メモリに格納された命令を有し、前記命令は、１つ以上のプロセッサにより処理された時、
通信ネットワークを介してクライアント装置からデータ処理要求を受信する段階と、
前記クライアント装置から受信したデータ処理要求に関連するユーザのユーザ選好データであって、前記ユーザが前記要求を処理するネットワーク装置が有することを欲する１つ以上の属性を示すユーザ選好データを読み出す段階と、
前記ユーザ選好データと複数の利用可能なネットワーク装置の１つ以上の属性を示すネットワーク装置属性データとに基づき、前記複数の利用可能なネットワーク装置から前記要求を処理するネットワーク装置を決定する段階と、
前記決定されたネットワーク装置に前記要求を送信する段階とを実行させる装置。
【請求項２】
前記ユーザ選好データは前記ユーザ選好データが示す前記１つ以上の属性のプライオリティを示す、請求項１に記載の装置。
【請求項３】
前記ユーザ選好データが示す前記１つ以上の属性はスピード、解像度、仕上げオプションのうち少なくとも１つを含む、請求項１に記載の装置。
【請求項４】
前記ユーザ選好データが示す前記１つ以上の属性は位置を含む、請求項１に記載の装置。
【請求項５】
前記メモリはさらに別の命令を格納し、前記命令は、前記１つ以上のプロセッサが処理したとき、
新しいネットワーク装置がデータ処理に利用可能であることを示すイベントを検出する段階と、
新しいネットワーク装置がデータ処理に利用可能であることを示すイベントを検出すると、それに応じて、
前記新しいネットワーク装置に問い合わせて前記新しいネットワーク装置の１つ以上の属性を示すデータを取得する段階と、
前記装置属性データを更新して前記新しいネットワーク装置の前記１つ以上の属性を反映させる段階とをさらに実行させる、請求項１に記載の装置。
【請求項６】
前記メモリはさらに別の命令を格納し、前記命令は、前記１つ以上のプロセッサが処理したとき、
前記複数のネットワーク装置のうちの前記決定されたネットワーク装置の状態変化、別のネットワーク装置が利用可能となったことを示すイベントを検出する段階と、
前記イベントが前記複数のネットワーク装置のうちの前記決定されたネットワーク装置の状態変化を示すとき、前記装置属性データを更新して前記複数のネットワーク装置のうちの前記決定されたネットワーク装置の状態変化を反映させる段階と、
前記イベントが別のネットワーク装置が利用可能となったことを示すとき、前記装置属性データを更新して前記別のネットワーク装置が利用可能となったことを反映させる段階とをさらに実行させる、請求項１に記載の装置。
【請求項７】
前記メモリはさらに別の命令を格納し、前記命令は、前記１つ以上のプロセッサが処理したとき、
前記イベントが前記複数のネットワーク装置のうちの前記決定されたネットワーク装置の状態変化を示すとき、前記複数のネットワーク装置のうちの前記決定されたネットワーク装置の状態変化を反映するレポートデータを生成する段階と、
前記イベントが別のネットワーク装置が利用可能となったことを示すとき、前記別のネットワーク装置が利用可能となったことを反映するレポートデータを生成する段階と、
前記クライアント装置に前記レポートデータを提供する段階とをさらに実行させる、請求項６に記載の装置。
【請求項８】
前記メモリはさらに別の命令を格納し、前記命令は、前記１つ以上のプロセッサが処理したとき、
前記クライアント装置において処理されたとき、前記クライアント装置に関連するユーザインターフェイス上に１つ以上のユーザインターフェイスオブジェクトであって、前記複数の利用可能なネットワーク装置に対応し、前記複数の利用可能なネットワーク装置のうちの各ネットワーク装置が前記ユーザ選好データをどのくらい満たすか前記ユーザに視覚的に示す１つ以上のユーザインターフェイスオブジェクトを表示させるユーザインターフェイスデータを生成して前記クライアント装置に提供する段階をさらに有する、請求項１に記載の装置。
【請求項９】
前記ユーザインターフェイスデータは、前記クライアント装置において処理されたとき、前記複数のネットワーク装置のうちの前記ユーザ選好データを最もよく満たすネットワーク装置の視覚的表示を前記ユーザに提供する、請求項８に記載の装置。
【請求項１０】
前記ユーザインターフェイスデータは、前記クライアント装置において処理されたとき、前記クライアント装置の位置に対する前記複数のネットワーク装置１つ以上の位置の視覚的表示を前記ユーザに提供する、請求項８に記載の装置。
【請求項１１】
前記メモリはさらに別の命令を格納し、前記命令は、前記１つ以上のプロセッサが処理したとき、
前記複数の利用可能なネットワーク装置のうちの前記決定されたネットワーク装置がサービスを必要とすることを示す第１のイベントを検出する段階と、
前記第１のイベントを検出するとそれに応じて、前記複数の利用可能なネットワーク装置のうちの前記決定されたネットワーク装置がサービスを必要とすることを示す第１のレポートデータを生成し、
前記第１のレポートデータをサービスプロバイダに提供する段階と、
前記複数の利用可能なネットワーク装置のうちの前記決定されたネットワーク装置が前記必要とするサービスを受けたことを示す第２のイベントを検出する段階と、
前記第２のイベントを検出するとそれに応答して、前記複数の利用可能なネットワーク装置のうちの前記決定されたネットワーク装置が前記必要とするサービスを受けたことを示す第２のレポートデータを生成する段階と、
前記第２のレポートデータを前記サービスプロバイダに提供する段階とを有する、
請求項１に記載の装置。
【請求項１２】
前記メモリはさらに別の命令を格納し、前記命令は、前記１つ以上のプロセッサが処理したとき、
前記複数の利用可能なネットワーク装置のうちの前記ユーザ選好データを満たす示唆された１つ以上のネットワーク装置を示す示唆データを生成して前記クライアント装置に提供する段階と、
前記示唆された１つ以上のネットワーク装置のうちのユーザが選択したネットワーク装置を示す選択データを前記クライアント装置から受信する段階と、
前記選択されたネットワーク装置に前記要求を提供する段階とを有する、
請求項１に記載の装置。